(57)【要約】【課題】移動局装置が複数の周波数帯域のセルを用いて基地局装置と無線接続している場合に、隣接する基地局装置の不活性状態セルに対して効率的に活性化要求を行う無線通信システム、基地局装置および通信方法を提供すること。【解決手段】複数の基地局装置と移動局装置とを具備し、前記移動局装置が複数の周波数帯域のセルを同時に用いて前記基地局装置と接続して通信を行なう通信システムであって、前記複数の基地局装置は第１の基地局装置と第２の基地局装置とを含み、前記第１の基地局装置は、前記第２の基地局装置に対して特定のセル情報を含むメッセージを送信し、前記第２の基地局装置は、前記特定のセルを含む前記移動局装置と同時に通信を行うことが可能なセルの組み合わせを特定し、前記特定した組み合わせのすべてあるいは一部のセルを活性化する。【選択図】図３
2012009945.tif 000002
【特許請求の範囲】
【請求項１】
複数の基地局装置と移動局装置とを具備し、前記移動局装置が複数の周波数帯域のセルを同時に用いて前記基地局装置と接続して通信を行なう通信システムであって、
前記複数の基地局装置は第１の基地局装置と第２の基地局装置とを含み、
前記第１の基地局装置は、前記第２の基地局装置に対して特定のセル情報を含むメッセージを送信し、
前記第２の基地局装置は、
前記特定のセルを含む前記移動局装置と同時に通信を行うことが可能なセルの組み合わせを特定し、
前記特定した組み合わせのすべてあるいは一部のセルを活性化することを特徴とする通信システム。
【請求項２】
前記第１の基地局装置から送信される特定のセル情報は、
前記第１の基地局装置の制御下のセルで通信中の前記移動局装置からの測定結果に基づいて選択されることを特徴とする請求項１記載の通信システム。
【請求項３】
前記特定のセル情報は、前記第１の基地局装置で通信中の前記移動局装置が接続している複数のセルの情報を含む請求項１記載の通信システム。
【請求項４】
前記特定のセル情報は、セルの識別子とセルの周波数帯域の両方あるいは何れかを含む請求項１乃至３記載の通信システム。
【請求項５】
複数の基地局装置と移動局装置とを具備し、前記移動局装置が複数の周波数帯域のセルを同時に用いて前記基地局装置と接続して通信を行なう通信システムにおける基地局装置であって、
前記基地局装置は、他の基地局装置から特定のセル情報を受信し、
前記特定のセルを含む前記移動局装置と同時に通信を行うことが可能なセルの組み合わせを特定し、
前記特定した組み合わせのすべてあるいは一部のセルを活性化することを特徴とする基地局装置。
【請求項６】
複数の基地局装置と移動局装置とを具備し、前記移動局装置が複数の周波数帯域のセルを同時に用いて前記基地局装置と接続して通信を行なう通信システムにおける基地局装置であって、
前記基地局装置は、制御下のセルで通信中の前記移動局装置からの測定結果に基づいて特定のセルを選択し、
前記特定のセルを含む前記移動局装置と同時に通信を行うことが可能なセルを活性化させるために、前記特定のセルを制御する基地局装置に対して前記特定のセル情報を含むメッセージを通知することを特徴とする基地局装置。
【請求項７】
複数の基地局装置と移動局装置とを具備し、前記移動局装置が複数の周波数帯域のセルを同時に用いて前記基地局装置と接続して通信を行なう通信システムにおける通信方法であって、
前記複数の基地局装置は第１の基地局装置と第２の基地局装置とを含み、
前記第１の基地局装置が、前記第２の基地局装置に対して特定のセル情報を含むメッセージを送信するステップと、
前記第２の基地局装置が、
前記特定のセルを含む前記移動局装置と同時に通信を行うことが可能なセルの組み合わせを特定するステップと、
前記特定した組み合わせのすべてあるいは一部のセルを活性化するステップと、を備えることを特徴とする通信方法。
【発明の詳細な説明】
【技術分野】
【０００１】
本発明は、無線通信システム、基地局装置および通信方法に関し、特に基地局装置の省電力化に関する。
【背景技術】
【０００２】
標準化プロジェクトである３ＧＰＰ（3rd Generation Partnership Project）において、ＯＦＤＭ（Orthogonal Frequency-Division Multiplexing）通信方式やリソースブロックと呼ばれる所定の周波数・時間単位の柔軟なスケジューリングの採用によって、高速な通信を実現させたＥｖｏｌｖｅｄ  Ｕｎｉｖｅｒｓａｌ  Ｔｅｒｒｅｓｔｒｉａｌ  Ｒａｄｉｏ  Ａｃｃｅｓｓ（以降EUTRAと称する）が検討され、更にその発展形であるＡｄｖａｎｃｅｄ  ＥＵＴＲＡ（LTE-Advancedとも称される）の検討が進められている。
【０００３】
Ａｄｖａｎｃｅｄ  ＥＵＴＲＡでは、ＥＵＴＲＡとの互換性を維持しつつ、より高速なデータ伝送が可能な技術として、キャリア・アグリゲーション（Ｃａｒｒｉｅｒ  Ａｇｇｒｅｇａｔｉｏｎ）が提案されている。キャリア・アグリゲーションとは、複数の異なる周波数帯域（キャリア周波数、コンポーネントキャリア（Ｃｏｍｐｏｎｅｎｔ  Ｃａｒｒｉｅｒ）とも称する）で送信された送信装置のデータを、異なる周波数帯域に対応する受信装置においてそれぞれ受信することで、データレートを向上させる技術である。なお、以後は下りリンク送信における受信装置のことを移動局装置、下りリンク送信における送信装置のことを基地局装置と記載し、上りリンク送信における受信装置のことを基地局装置、上りリンク送信における送信装置のことを移動局装置と記載するが、本発明の適用範囲はこれらの装置に限定されるものではない。
【０００４】
Ａｄｖａｎｃｅｄ  ＥＵＴＲＡの移動局装置（以後、移動局装置と称する）は、複数のコンポーネントキャリアの受信、及び測定を行なう必要があることから、ＥＵＴＲＡよりも広範囲の受信機器または複数の受信機器を備えることが想定される。例えば、ＥＵＴＲＡに適用される周波数帯域幅は最大２０ＭＨｚであったが、Ａｄｖａｎｃｅｄ  ＥＵＴＲＡでは、キャリア・アグリゲーションによって周波数帯域幅が最大１００ＭＨｚにまで拡張される。
【０００５】
あるセルにおいて上記のようなキャリア・アグリゲーションによって拡張された周波数帯域幅を利用する移動局装置は、前記セルに対して各周波数帯域の隣接セルの受信品質測定結果を報告しておくことにより、隣接するエリアのセルへ通信を維持しながら移る（ハンドオーバする）際にも、ハンドオーバ先のセルにおいて品質のよいセルを組み合わせることによって効率的なキャリア・アグリゲーションを継続することが可能となる。
【０００６】
また、ＥＵＴＲＡやＡｄｖａｎｃｅｄ  ＥＵＴＲＡでは省電力化や干渉緩和のために基地局装置やリレー局装置（コアネットワークとの接続に有線ではなく他の基地局装置との無線接続を用いる基地局装置）のセルにおける無線送信の一部あるいはすべてを停止する状態を持つことが提案されている（非特許文献１）。これは特にセル半径の大きなマクロセル内に含まれるセル半径の小さなセルなどに対して有用となる技術である。
【０００７】
無線送信停止は、移動局装置および他の隣接セルに対して大きな影響を与えるため、影響を低減するために具体的な処理として、無線送信を停止する予定のセルは、隣接セルに対して自セルの移動局装置をハンドオーバさせる際に、自セルが停止状態となることをハンドオーバ要求のメッセージに含めて通知し、その後、自セルが停止した際には、セルコンフィグレーション情報として自セルが無線送受信を停止する不活性状態（Ｄｅａｃｔｉｖａｔｉｏｎ状態）であることを含めて隣接セルへ通知する仕組みが仕様化されている（非特許文献２）。
【０００８】
また、不活性状態のセルに対して、無線送受信を行う活性状態（Ａｃｔｉｖａｔｉｏｎ状態）になることを要求する信号（活性化要求信号あるいはＷａｋｅＵｐ信号と称する）を隣接セルが送信して省電力状態の制御を行なう提案もなされている（非特許文献１）。前記の通知や要求のメッセージは通常、対象となるセルを制御する基地局装置間でやり取りされる。
【先行技術文献】
【非特許文献】
【０００９】
【非特許文献１】Ｅｒｉｃｓｓｏｎ，Ｓａｍｓｕｎｇ，Ｏｒａｎｇｅ，ＮＴＴ  ＤＯＣＯＭＯ，Ｖｏｄａｆｏｎｅ  Ｇｒｏｕｐ，Ｈｕａｗｅｉ，Ｄｅｕｔｓｃｈｅ  Ｔｅｌｅｋｏｍ，ＴＮＯ，“ＬＴＥ  ｅｎｅｒｇｙ  ｓａｖｉｎｇ  ｓｏｌｕｔｉｏｎ  ｐｒｏｐｏｓａｌ  ｆｏｌｌｏｗｉｎｇ  ｄｉｓｃｕｓｓｉｏｎｓ  ａｔ  ＲＡＮ３＃６６ｂｉｓ”，Ｒ３−１０１０４６，３ＧＰＰ  ＴＳＧ−ＲＡＮ  ＷＧ３  Ｍｅｅｔｉｎｇ  ＃６７，Ｓａｎ  Ｆｒａｎｃｉｓｃｏ，ＵＳＡ，２２−２６ｔｈ  Ｆｅｖｒｕａｒｙ  ２０１０
【非特許文献２】Ｅｒｉｃｓｓｏｎ，Ｓａｍｓｕｎｇ, Ｏｒａｎｇｅ，ＮＴＴ  ＤＯＣＯＭＯ，Ｈｕａｗｅｉ，Ｖｏｄａｆｏｎｅ  Ｇｒｏｕｐ，Ｄｅｕｔｓｃｈｅ  Ｔｅｌｅｋｏｍ，ＴＮＯ，“ＲＮＬ−ｂａｓｅｄ  ｅｎｅｒｇｙ  ｓａｖｉｎｇ  ｓｏｌｕｔｉｏｎ” ，Ｒ３−１０１３２７，３ＧＰＰ  ＴＳＧ−ＲＡＮ  ＷＧ３  Ｍｅｅｔｉｎｇ  ＃６７，Ｓａｎ  Ｆｒａｎｃｉｓｃｏ，ＵＳＡ，２２−２６ｔｈ  Ｆｅｖｒｕａｒｙ  ２０１０
【発明の概要】
【発明が解決しようとする課題】
【００１０】
前述のような基地局省電力化や干渉緩和のために、前記キャリア・アグリゲーションで用いられる複数のコンポーネントキャリア（セル）の一部の無線送受信を停止する場合、不活性状態セルに隣接するセルでキャリア・アグリゲーションを行っている移動局装置は、不活性状態セルの品質測定を行うことができずにキャリア・アグリゲーションを継続できない。そのため、予め不活性状態のセルを活性状態にして品質測定を行えるようにする必要があるが、キャリア・アグリゲーション可能なセルの組み合わせがわからない場合、隣接する不活性状態セルすべてを活性状態にする必要があり、多くのセルを活性状態とすることによる省電力効果の低下や干渉増大が問題となる。
【００１１】
本発明は上記問題点に鑑み、ネットワーク負荷を抑えつつ、効率的に不活性状態セルを制御することができる無線通信システム、基地局装置および通信方法を提供することを目的としている。
【課題を解決するための手段】
【００１２】
（１）上記の目的を達成するために、本発明は、以下のような手段を講じた。すなわち、本発明の通信システムは、複数の基地局装置と移動局装置とを具備し、前記移動局装置が複数の周波数帯域のセルを同時に用いて前記基地局装置と接続して通信を行なう通信システムであって、前記複数の基地局装置は第１の基地局装置と第２の基地局装置とを含み、前記第１の基地局装置は、前記第２の基地局装置に対して特定のセル情報を含むメッセージを送信し、前記第２の基地局装置は、前記特定のセルを含む前記移動局装置と同時に通信を行うことが可能なセルの組み合わせを特定し、前記特定した組み合わせのすべてあるいは一部のセルを活性化することを特徴とする。
【００１３】
（２）また、本発明の通信システムにおいて、前記第１の基地局装置から送信される特定のセル情報は、前記第１の基地局装置の制御下のセルで通信中の前記移動局装置からの測定結果に基づいて選択されることを特徴とする。
【００１４】
（３）また、本発明の通信システムにおいて、前記特定のセル情報は、前記第１の基地局装置で通信中の前記移動局装置が接続している複数のセルの情報を含むことを特徴とする。
【００１５】
（４）また、本発明の通信システムにおいて、前記特定のセル情報は、セルの識別子とセルの周波数帯域の両方あるいは何れかを含むことを特徴とする。
【００１６】
（５）また、本発明の通信システムにおける基地局装置は、複数の基地局装置と移動局装置とを具備し、前記移動局装置が複数の周波数帯域のセルを同時に用いて前記基地局装置と接続して通信を行なう通信システムにおける基地局装置であって、前記基地局装置は、他の基地局装置から特定のセル情報を受信し、前記特定のセルを含む前記移動局装置と同時に通信を行うことが可能なセルの組み合わせを特定し、前記特定した組み合わせのすべてあるいは一部のセルを活性化することを特徴とする。
【００１７】
（６）また、本発明の通信システムにおける基地局装置は、複数の基地局装置と移動局装置とを具備し、前記移動局装置が複数の周波数帯域のセルを同時に用いて前記基地局装置と接続して通信を行なう通信システムにおける基地局装置であって、前記基地局装置は、制御下のセルで通信中の前記移動局装置からの測定結果に基づいて特定のセルを選択し、前記特定のセルを含む前記移動局装置と同時に通信を行うことが可能なセルを活性化させるために、前記特定のセルを制御する基地局装置に対して前記特定のセル情報を含むメッセージを通知することを特徴とする。
【００１８】
（７）また、本発明の通信方法は、複数の基地局装置と移動局装置とを具備し、前記移動局装置が複数の周波数帯域のセルを同時に用いて前記基地局装置と接続して通信を行なう通信システムにおける通信方法であって、前記複数の基地局装置は第１の基地局装置と第２の基地局装置とを含み、前記第１の基地局装置が、前記第２の基地局装置に対して特定のセル情報を含むメッセージを送信するステップと、前記第２の基地局装置が、前記特定のセルを含む前記移動局装置と同時に通信を行うことが可能なセルの組み合わせを特定するステップと、前記特定した組み合わせのすべてあるいは一部のセルを活性化するステップと、を備えることを特徴とする。
【発明の効果】
【００１９】
本発明によれば、ネットワーク負荷を抑えつつ、効率的に不活性状態セルを制御することができる無線通信システム、基地局装置および通信方法を提供することが可能となる。
【図面の簡単な説明】
【００２０】
【図１】本発明の第１の実施形態における移動局装置の一例を示すブロック図である。
【図２】本発明の第１の実施形態における基地局装置の一例を示すブロック図である。
【図３】本発明の第１の実施形態における測定およびハンドオーバ手順を示したシーケンスチャートである。
【図４】本発明の第２の実施形態における測定およびハンドオーバ手順を示したシーケンスチャートである。
【図５】本発明の第３の実施形態における測定およびハンドオーバ手順を示したシーケンスチャートである。
【図６】本発明の実施形態に係る通信ネットワーク構成の一例を示す図である。
【図７】従来の測定およびハンドオーバ手順を示したシーケンスチャートである。
【発明を実施するための形態】
【００２１】
本発明の実施形態を説明する前に、本発明に関する物理チャネル、キャリア・アグリゲーションについて説明する。
【００２２】
[物理チャネル]
ＥＵＴＲＡ及びＡｄｖａｎｃｅｄ  ＥＵＴＲＡで使用される物理チャネル（または物理シグナル）について説明を行なう。物理チャネルは、基地局装置から移動局装置へ送信される下りリンクにおける下りリンクチャネルと、移動局装置から基地局装置へ送信される上りリンクにおける上りリンクチャネルとが存在する。物理チャネルは、ＥＵＴＲＡ、及びＡｄｖａｎｃｅｄ  ＥＵＴＲＡにおいて、今後追加、または、その構造が変更される可能性もあるが、変更された場合でも本発明の各実施形態の説明には影響しない。
【００２３】
同期シグナル（Synchronization Signals）は、３種類のプライマリ同期シグナルと、周波数バンドで互い違いに配置される３１種類の符号から構成されるセカンダリ同期シグナルとで構成され、プライマリ同期シグナルとセカンダリ同期シグナルの信号の組み合わせによって、基地局装置を識別する５０４通りのセル識別子（セルＩＤ、PCI; Physical Cell Identifier）と、無線同期のためのフレームタイミングが示される。移動局装置は、セルサーチによって受信した同期シグナルのセルＩＤを特定する。
【００２４】
物理報知情報チャネル（PBCH; Physical Broadcast Channel）は、セル内の移動局装置で共通に用いられる制御パラメータ（報知情報（システム情報）；System information）を通知する目的で送信される。物理報知情報チャネルで通知されない報知情報は、下りリンク制御チャネルで無線リソースが通知され、下りリンクデータチャネルを用いてレイヤ３メッセージ（システムインフォメーション）で送信される。報知情報として、セル個別の識別子を示すセルグローバル識別子（CGI; Cell Global Identifier）、ページングによる待ち受けエリアを管理するトラッキングエリア識別子（TAI; Tracking Area Identifier）、セルの周波数帯域幅や下りリンクと上りリンクの周波数帯域の対応関係などが通知される。
【００２５】
下りリンクリファレンスシグナルは、セル毎に所定の電力で送信されるパイロットシグナルである。また、下りリンクリファレンスシグナルは、所定の規則に基づき周波数・時間位置で周期的に繰り返される既知の信号である。移動局装置は、下りリンクリファレンスシグナルを受信することでセル毎の受信品質を測定する。また、移動局装置は、下りリンクリファレンスシグナルと同時に送信される下りリンク制御チャネル、または下りリンクデータチャネルの復調のための参照用の信号としても下りリンクリファレンスシグナルを使用する。下りリンクリファレンスシグナルに使用される系列は、セル毎に識別可能な系列が用いられる。なお、下りリンクリファレンスシグナルはセル固有ＲＳ（Cell-specific reference signals）と記載される場合もあるが、その用途と意味は同じである。
【００２６】
下りリンク制御チャネル（PDCCH; Physical Downlink Control Channel）は、各サブフレームの先頭からいくつかのＯＦＤＭシンボルで送信され、移動局装置に対して基地局装置のスケジューリングに従った無線リソース割当て情報や、送信電力の増減の調整量を指示する目的で使用される。移動局装置は、下りリンクデータや下りリンク制御データであるレイヤ３メッセージ（ページング、ハンドオーバーコマンドなど）を送受信する前に自局宛の下りリンク制御チャネルを監視（モニタ）し、自局宛の下りリンク制御チャネルを受信することで、送信時には上りリンクグラント、受信時には下りリンクグラントと呼ばれる無線リソース割当て情報を取得する必要がある。
【００２７】
下りリンクデータチャネル（PDSCH; Physical Downlink Shared Channel）は、下りリンクデータの他、下りリンク制御データであるレイヤ３メッセージとしてページングや報知情報を通知するためにも使用される。下りリンクデータチャネルの無線リソース割当て情報は、下りリンク制御チャネルで示される。
【００２８】
上りリンクデータチャネル（PUSCH; Physical Uplink Shared Channel）は、主に上りリンクデータと上りリンク制御データを送信し、下りリンクの受信品質やＡＣＫ／ＮＡＣＫなどの制御データを含めることも可能である。また、下りリンクと同様に上りリンクデータチャネルの無線リソース割当て情報は、下りリンク制御チャネルで示される。
【００２９】
ランダムアクセスチャネル（PRACH; Physical Random Access Channel）は、プリアンブル系列を通知するために使用されるチャネルであり、ガードタイムを持つ。ランダムアクセスチャネルは、移動局装置の基地局装置へのアクセス手段として用いられる。移動局装置は、上りリンク制御チャネル未設定時の送信データのスケジューリング要求や、上りリンク送信タイミングを基地局装置の受信タイミングウィンドウに合わせるために必要な送信タイミング調整情報の要求にランダムアクセスチャネルを用いる。送信タイミング調整情報を受信した移動局装置は、送信タイミング調整情報の有効時間を設定し、有効時間中は送信タイミング調整状態、有効期間外は、送信タイミング非調整状態として状態を管理する。基地局装置は、移動局装置に対して個別プリアンブル系列（Dedicated preamble）を割り当てて、ランダムアクセスを開始させることも可能である。なお、それ以外の物理チャネルは、本発明の各実施形態に関わらないため詳細な説明は省略する。
【００３０】
[キャリア・アグリゲーション]
キャリア・アグリゲーションとは、複数の異なる上りリンクまたは下りリンクの周波数帯域（コンポーネントキャリア）を集約（アグリゲーション）して一つの周波数帯域のように扱う技術である。例えば、キャリア・アグリゲーションによって周波数帯域幅が２０ＭＨｚのコンポーネントキャリアを５つ集約した場合、移動局装置は１００ＭＨｚの周波数帯域幅とみなしてアクセスすることが可能となる。なお、集約するコンポーネントキャリアは連続した周波数帯域であっても、全てまたは一部が不連続となる周波数帯域であってもよい。例えば、使用可能な周波数帯域が８００ＭＨｚ帯域、２．４ＧＨｚ帯域、３．４ＧＨｚ帯域である場合、ある一つのコンポーネントキャリアが８００ＭＨｚ帯域、別のコンポーネントキャリアが２ＧＨｚ帯域、さらに別のコンポーネントキャリアが３．４ＧＨｚ帯域で送信されていてもよい。
【００３１】
また、同一周波数帯域、例えば２．４ＧＨｚ帯域内の連続または不連続のコンポーネントキャリアを集約することも可能である。各コンポーネントキャリアの周波数帯域幅は２０ＭＨｚより狭い周波数帯域幅であっても良く、各々異なっていても良い。
【００３２】
以下、本実施形態では例としてＦ１、Ｆ２、Ｆ３の３つの周波数を用いて説明を行うが、各周波数は前述のように異なる周波数帯域でもよく、同一周波数帯域の異なるコンポーネントキャリアの周波数でもよい。
【００３３】
また基地局装置は、移動局装置の送信データバッファ量や移動局装置の受信品質、セル内の負荷やＱｏＳなどの種々の要因に基づいて、移動局装置に割り当てる上りリンクまたは下りリンクのコンポーネントキャリアの数を増減することができる。
【００３４】
また、コンポーネントキャリアは、プライマリコンポーネントキャリア（ＰＣＣ；Ｐｒｉｍａｒｙ  Ｃｏｍｐｏｎｅｎｔ  Ｃａｒｒｉｅｒ）とセカンダリコンポーネントキャリア（ＳＣＣ；Ｓｅｃｏｎｄａｒｙ  Ｃｏｍｐｏｎｅｎｔ  Ｃａｒｒｉｅｒ）とに識別される。プライマリコンポーネントキャリアとは、典型的には報知情報で指示される一組の上りリンクコンポーネントキャリアと下りリンクコンポーネントキャリアから成り、移動局装置が測定制御や下りリンクの無線リンク障害（Ｒａｄｉｏ  Ｌｉｎｋ  Ｆａｉｌｕｒｅ）の検出、及び上りリンク制御チャネルの送信の基準となる周波数帯域である。基地局装置は、プライマリコンポーネントキャリアは、移動局装置毎に設定することも出来る。
【００３５】
セカンダリコンポーネントキャリアとは、プライマリコンポーネントキャリア以外の移動局装置に割り当てられた周波数帯域のことである。移動局装置は、セカンダリコンポーネントキャリアで無線リンク障害を検出する必要は無い。基地局装置は、移動局装置に対し、省電力化のために割り当てたセカンダリコンポーネントキャリアの有効化／無効化を指示することも出来る。移動局装置は、有効化されたセカンダリコンポーネントキャリアのセルにおいてのみ下りリンク制御チャネルを監視して下りリンクデータチャネルの受信を試み、無効化されたセカンダリコンポーネントキャリアのセルでは、下りリンク制御チャネルを監視せずに受信品質の測定のみを行なうことも出来る。
【００３６】
すなわち、移動局装置は、コンポーネントキャリアの状態を、（１）設定され有効化された状態、（２）設定されたが無効化された状態、（３）設定されていない状態、に分類して管理する。また、セカンダリコンポーネントキャリアの有効化／無効化という状態を省略することで、移動局装置は、単純にセカンダリコンポーネントキャリアが設定されたか否かという２つの状態だけを管理するような構成であっても良い。
【００３７】
なお、本発明においては、前記のようにコンポーネントキャリアの有効化／無効化という表現を用いているが、一般的に活性化／不活性化（Ａｃｔｉｖａｔｉｏｎ／Ｄｅａｃｔｉｖａｔｉｏｎ）という表現が用いられる場合もある。しかしながら、本発明ではセルの無線送受信が行われている状態を活性状態、無線送受信（のすべてあるいは一部）を停止している状態を不活性状態とし、前記無線送受信の状態の変更を活性化／不活性化と表現している。
【００３８】
[本発明の通信ネットワーク構成の例]
図６は、本発明の実施形態に係る通信ネットワーク構成の一例を示す図である。移動局装置１は、キャリア・アグリゲーションによって複数の周波数帯域（コンポーネントキャリア、Band1~Band3）のセルを同時に用いて基地局装置２と無線接続することが可能な場合、通信ネットワーク構成としては、ある一つの基地局装置２が複数の周波数帯域毎に送信装置１１〜１３（及び図示しない受信装置２１〜２３）を備えており、各周波数帯域のセルの制御を一つの基地局装置２で行なう構成が制御の簡略化の観点から好適である。ただし、複数の周波数帯域が連続する周波数帯域であるなどの理由で、基地局装置２が一つの送信装置で複数の周波数帯域の送信を行なう構成であっても構わない。基地局装置２の送信装置によって制御される各周波数帯域の通信可能範囲はセルとしてみなされ、空間的に同一のエリアに存在する。このとき、各周波数帯域がカバーするエリア（セル）はそれぞれ異なる広さ、異なる形状であっても良い。また、複数の基地局装置２でキャリア・アグリゲーションされる周波数帯域を管理し、上位の制御局装置が、複数の基地局装置２を管理する通信ネットワーク構成であっても良い。
【００３９】
移動局装置１に設定されたプライマリコンポーネントキャリアのセルは、プライマリサービングセル（Ｐｒｉｍａｒｙ  Ｓｅｒｖｉｎｇ  Ｃｅｌｌ（ＰＣｅｌｌ）、または単にサービングセル（Ｓｅｒｖｉｎｇ  Ｃｅｌｌ）と称する）であり、セカンダリコンポーネントキャリアのセルはセカンダリサービングセル（Ｓｅｃｏｎｄａｒｙ  Ｓｅｒｖｉｎｇ  Ｃｅｌｌ（ＳＣｅｌｌ））である。すなわち、キャリア・アグリゲーションを行なう移動局装置１は、プライマリサービングセルと一つまたは複数のセカンダリサービングセルとを介して基地局装置２と接続される。
【００４０】
なお、３ＧＰＰが規定する第３世代の基地局装置２はノードＢ（NodeB）と称され、ＥＵＴＲＡ及びＡｄｖａｎｃｅｄ  ＥＵＴＲＡにおける基地局装置２はイーノードＢ（eNodeB）と称される。基地局装置２は移動局装置１が通信可能なエリアであるセルを管理し、セルは移動局装置１と通信可能なエリアの大きさに応じてフェムトセルやピコセル、ナノセルとも称される。また、移動局装置１がある基地局装置２と通信可能であるとき、その基地局装置２のセルは移動局装置１の在圏セルであり、その他の基地局装置２のセルは周辺セルと称される。
【００４１】
後述する記載において、基地局装置２が形成するコンポーネントキャリアの周波数でカバーされるエリアのことをそれぞれセルと称して説明するが、これは実際に運用される通信システムにおけるセルの定義とは異なる可能性があることに注意する。例えば、ある通信システムでは、キャリア・アグリゲーションによって用いられるコンポーネントキャリアの一部のことを、セルではなく単なる追加の無線リソースと定義する可能性がある。本発明でコンポーネントキャリアをセルと称することで、実際に運用される通信システムにおけるセルの定義と異なる場合が発生したとしても、本発明の主旨には影響しない。なお、移動局装置１は、リレー局装置（またはリピーター）を介して基地局装置２と無線接続されても良い。
【００４２】
[測定とハンドオーバ]
図７は、ＥＵＴＲＡでのハンドオーバ前後における、移動局装置１ならびに基地局装置２の測定設定管理方法について説明するためのシーケンスチャート図である。
【００４３】
図７の例では、移動局装置１と複数の基地局装置２の管理するセル（ここでは基地局装置２Ａの管理するセルとしてセルＡ，セルＢ、セルＣ、基地局装置２Ｂの管理するセルとしてセルＤ、セルＥ、セルＦ）とがあり、移動局装置１は基地局装置２ＡのセルＡ（周波数Ｆ１）およびセルＢ（周波数Ｆ２）において無線接続が確立された状態（ＲＲＣ＿Ｃｏｎｎｅｃｔｅｄ状態）にあり、セルＡをＰＣｅｌｌとし、セルＢをＳＣｅｌｌとする。
【００４４】
まず、基地局装置２Ａは移動局装置１に対して、通信中のセルＡおよびセルＢ（在圏セル）並びにその他セル（周辺セル）の受信品質を測定させるための測定設定メッセージを送信する（ステップＳ７０１）。測定設定メッセージには、測定される周波数（周波数Ｆ１、Ｆ２、Ｆ３）毎に少なくとも一つの測定設定情報が含まれている。測定設定情報は、測定ＩＤと、測定対象周波数（ｍｅａｓｕｒｅｍｅｎｔ  ｏｂｊｅｃｔ）と、測定対象周波数に対応する測定対象周波数ＩＤと、測定イベントを含んだ報告設定と、報告設定に対応する報告設定ＩＤとで構成される。一つの測定対象周波数ＩＤに対し複数の報告設定ＩＤがリンクされるように構成されていても良い。同様に、複数の測定対象周波数ＩＤに対して一つの報告設定ＩＤがリンクされるように構成されていても良い。
【００４５】
測定イベントとは、例えば、在圏セルの受信品質が所定の閾値よりも下回った／上回ったとき、周辺セルの受信品質が在圏セルよりも下回ったとき、周辺セルの受信品質が所定の閾値よりも上回ったとき、などの条件と、当該条件を判定するために用いるパラメータから構成される情報である。パラメータには閾値や、オフセット値、測定イベントの成立に必要な時間などが設定される。
【００４６】
移動局装置１は、ステップＳ７０２において、基地局装置２から設定された測定設定情報を内部情報として保存してから測定処理を開始する。具体的には、移動局装置１は測定ＩＤと測定対象周波数ＩＤと報告設定ＩＤとを一つにリンクされるよう対応付けて管理し、各ＩＤに対応する測定情報を基に測定を開始する。これらの３つのＩＤが一つにリンクされている場合、有効とみなして関連する測定を開始し、これらの３つのＩＤが一つにリンクされていない場合（いずれかのＩＤが設定されていない場合）、無効とみなして関連する測定は開始されない。そして、誤り無く測定設定情報を設定できた場合、移動局装置１は、ステップＳ７０３において測定設定完了メッセージを基地局装置２Ａへ送信する。
【００４７】
そして、移動局装置１において、設定された測定イベントのいずれかがパラメータに従い条件を満たした場合、当該測定イベントがトリガ（ｔｒｉｇｇｅｒ）されたとして、測定報告メッセージを基地局装置２Ａに対して送信する（ステップＳ７０４）。測定報告メッセージには、少なくともトリガされた測定イベントの報告設定ＩＤにリンクした測定ＩＤと、必要であれば関連するセルの測定結果が設定される。基地局装置２は測定ＩＤがどの測定イベントの報告設定ＩＤにリンクしているかを把握しているため、移動局装置１は測定報告メッセージで報告設定ＩＤを通知する必要はない。
【００４８】
基地局装置２は、移動局装置１からの測定報告メッセージやシステム負荷や干渉の状態などを考慮し、必要に応じて移動局装置１に対して最適なセルへのハンドオーバやＳＣｅｌｌの追加や削除などの判断などを行う（ステップＳ７０５）。例えばセルＢの受信品質が低下し、セルＣの受信品質が高くなった場合には、ＳＣｅｌｌとしてセルＢを削除してセルＣを追加することなどができる。ここではセルＤの受信品質が高くなった場合について説明を続ける。
【００４９】
基地局装置２Ａは、移動局装置１をセルＡからセルＤへハンドオーバさせるために、セルＤを制御する基地局装置２Ｂに対してハンドオーバ要求メッセージを送信する（ステップＳ７０６）。ハンドオーバ要求メッセージで送られるハンドオーバ要求情報には、移動局装置１との通信に必要となるリソースに関する情報が含まれ、移動局装置１がキャリア・アグリゲーションを行っている場合には他セルの測定結果に関する情報などが含まれてもよい。すなわち、移動局装置１がキャリア・アグリゲーションを行っている場合には、ハンドオーバ要求メッセージに基地局装置２Ｂ制御下のセルの測定結果の情報を含めることにより、キャリア・アグリゲーションの状態を維持したままハンドオーバを行うことが可能となる。
【００５０】
ハンドオーバ要求メッセージを受け取った基地局装置２Ｂは、セルＤにおいて移動局装置１との通信に必要となるリソースが準備できる場合、ハンドオーバ要求応答として、セルＤとの接続に必要となるセキュリティ情報やランダムアクセスに用いる情報などを含めて、基地局装置２Ａに通知する（ステップＳ７０７）。また、移動局装置１を受け入れることができない場合には、ハンドオーバ要求応答としてハンドオーバ準備の失敗を基地局装置２Ａに通知する。また、ハンドオーバ要求情報に基地局装置２Ｂ制御下の他セルの測定結果に関する情報が含まれる場合、ＳＣｅｌｌとしてセルＥ（またはセルＦ）を指定する旨をハンドオーバ要求応答に含めてもよい。
【００５１】
ハンドオーバ要求応答を受け取った基地局装置２Ａは、ハンドオーバ可能である場合には、移動局装置１に対してセルＤへのハンドオーバ指示を行う（ステップＳ７０８）。ハンドオーバ指示のメッセージには、セルＤとの接続に必要なシステム情報や、セキュリティに関する情報や、ランダムアクセスに用いる情報などが含まれる。また、ハンドオーバ要求応答にＳＣｅｌｌの情報が含まれる場合には、その情報をハンドオーバ指示のメッセージに含めてもよい。
【００５２】
ハンドオーバ指示を受け取った移動局装置１は、セルＤに対して接続を試み、接続が成功すると、基地局装置２Ｂに対してハンドオーバ完了メッセージを通知する（ステップＳ７０９）。
【００５３】
ハンドオーバ完了メッセージを受け取った基地局装置２Ｂは、基地局装置２Ａに対して、移動局装置１に関する無線リソースや制御情報の解放許可を基地局装置２Ａに通知してハンドオーバを完了する（Ｓ７１０）。
【００５４】
なお、上記手順において明記していないが、移動局装置１に対するユーザデータはハンドオーバ指示後に基地局装置２Ａから基地局装置２Ｂへ転送され、ハンドオーバ完了後に移動局装置１に対して送信が継続される。
【００５５】
以上の事項を考慮しつつ、以下、添付図面に基づき、本発明の好適な実施形態について詳細に説明する。なお、本発明の説明において、本発明に関連した公知の機能や構成についての具体的な説明が本発明の要旨を不明瞭にすると判断されるものについては、その詳細な説明を省略する。
【００５６】
［第１の実施形態］
本発明の第１の実施形態について以下に説明する。本実施形態は、キャリア・アグリゲーション中の移動局装置１から報告されるＰＣｅｌｌの受信品質低下に伴う隣接セル測定結果に基づいた活性化要求信号の制御方法に関する。
【００５７】
図１は、本発明の実施形態に係る移動局装置１の一例を示すブロック図である。本移動局装置１は、受信部１０１、復調部１０２、復号部１０３、測定処理部１０４、制御部１０５、ランダムアクセス処理部１０６、符号部１０７、変調部１０８、送信部１０９、上位レイヤ１１０から構成される。受信に先立ち、上位レイヤ１１０より制御部１０５へ移動局装置制御情報が入力され、受信に関する移動局装置制御情報が受信制御情報として、受信部１０１、復調部１０２、復号部１０３、測定処理部１０４へ適切に入力される。受信制御情報は、受信スケジュール情報として、復調情報、復号化情報、受信周波数帯域の情報、各チャネルに関する受信タイミング、多重方法、無線リソース配置情報などの情報が含まれている。
【００５８】
受信信号は、一つ以上のアンテナ（図示せず）を介して受信部１０１において受信される。受信部１０１は、受信制御情報で通知された周波数帯域で信号を受信する。受信部１０１は受信信号のベースバンド処理部を含む。受信信号は復調部１０２へと入力される。復調部１０２は、受信信号を復調して復号部１０３へと受信信号を入力する。復号部１０３は、受信制御情報に基づき受信信号を正しく復号する。復号部１０３は、受信信号を下りリンクトラフィックデータと下りリンク制御データに適切に分離し、それぞれ上位レイヤ１１０へ入力する。
【００５９】
また、復号部１０３は測定に関する復号した受信信号を測定処理部１０４へ入力する。測定処理部１０４は、セル毎の下りリンクリファレンスシグナルの受信品質の測定処理や、下りリンク制御チャネルまたは下りリンクデータチャネルの受信誤り率の測定処理を行ない、測定した受信品質をサンプル毎に平均化（フィルタリング）した下りリンク測定情報を生成し、下りリンク測定情報を上位レイヤ１１０へ出力する。また、測定処理部１０４は、得られた受信品質と下りリンク同期誤りの検出に用いる閾値（Ｑｏｕｔとも呼ばれる）とを比較し、必要に応じて下りリンク同期誤りを上位レイヤ１１０へ出力する。
【００６０】
また、送信に先立ち、上位レイヤ１１０より制御部１０５へ移動局装置制御情報が入力され、送信に関する移動局装置制御情報が送信制御情報として、ランダムアクセス処理部１０６、符号部１０７、変調部１０８、送信部１０９へ適切に入力される。送信制御情報は、送信信号の上りリンクスケジューリング情報として、符号化情報、変調情報、送信周波数帯域の情報、各チャネルに関する送信タイミング、多重方法、無線リソース配置情報などの情報が含まれている。ランダムアクセス処理部１０６には、上位レイヤ１１０からランダムアクセスに必要な無線リソース情報や最大送信回数などのランダムアクセスチャネルの送信に必要なランダムアクセス情報が入力される。また、ランダムアクセス処理部１０６は、ランダムアクセスチャネルの送信回数をカウントすることで、ランダムアクセス問題を検出した場合、ランダムアクセス問題が発生したことを示すランダムアクセス問題情報を上位レイヤ１１０へ通知する。
【００６１】
符号部１０７には、上位レイヤ１１０から上りリンクトラフィックデータと上りリンク制御データとが、ランダムアクセス処理部１０６からランダムアクセスデータが、上りリンクチャネルに応じて適切に入力される。符号部１０７は送信制御情報に従い、各データを適切に符号化し、変調部１０８に出力する。変調部１０８は、符号部１０７からの入力を変調する。
【００６２】
送信部１０９は、変調部１０８の出力を周波数バンドにマッピングすると共に、周波数バンドの信号を時間領域の信号へ変換し、既定の周波数の搬送波にのせて電力増幅を行なうと共に送信する。上りリンク制御データが配置される上りリンクデータチャネルは、典型的にはレイヤ３メッセージ（無線リソース制御メッセージ；ＲＲＣメッセージ）を構成する。移動局装置１のＲＲＣは上位レイヤ１１０の一部として存在する。また、ランダムアクセス処理部１０６は、移動局装置１のデータリンク層を管理するＭＡＣ（Medium Access Control）の一部として存在する。図１において、その他の移動局装置１の構成要素は本実施形態に関係ないため省略してある。
【００６３】
図２は、本発明の実施形態による基地局装置２の一例を示すブロック図である。本基地局装置２は、受信部２０１、復調部２０２、復号部２０３、制御部２０４、符号部２０５、変調部２０６、送信部２０７、ネットワーク信号処理部２０８、周辺情報管理部２０９、上位レイヤ２１０、キャリア・アグリゲーション情報管理部２１１から構成される。
【００６４】
上位レイヤ２１０は、下りリンクトラフィックデータと下りリンク制御データを符号部２０５へ入力する。符号部２０５は、入力された各データを符号化し、変調部２０６へ入力する。変調部２０６は、符号化した信号の変調を行なう。また、変調部２０６において、変調された信号に対して下りリンクリファレンスシグナルが多重され、周波数バンドにマッピングされる。送信部２０７は、変調部２０６から出力された周波数バンドの信号を時間領域の信号へ変換し、変換した信号を既定の周波数の搬送波にのせて電力増幅を行なうと共に送信する。下りリンク制御データが配置される下りリンクデータチャネルは、典型的にはレイヤ３メッセージ（ＲＲＣメッセージ）を構成する。
【００６５】
また、受信部２０１は、移動局装置１からの受信信号をベースバンドのデジタル信号に変換する。デジタル信号は、復調部２０２へ入力されて復調される。復調部２０２で復調された信号は続いて復号部２０３へ入力されて復号される。復号部２０３は、受信信号を上りリンクトラフィックデータと上りリンク制御データに適切に分離し、それぞれ上位レイヤ２１０へ入力する。
【００６６】
これら各ブロックの制御に必要な基地局装置制御情報は、上位レイヤ２１０より制御部２０４へ入力され、制御部２０４より送信に関連する基地局装置制御情報は送信制御情報として、符号部２０５、変調部２０６、送信部２０７の各ブロックに、受信に関連する基地局装置制御情報は受信制御情報として、受信部２０１、復調部２０２、復号部２０３の各ブロックに適切に入力される。
【００６７】
一方、ネットワーク信号処理部２０８は、複数の基地局装置２間（または制御局装置（ＭＭＥ）、ゲートウェイ装置（Ｇａｔｅｗａｙ）、リレー局装置）と基地局装置２との間の制御メッセージの送信または受信を行なう。制御メッセージはネットワーク回線を経由して送受信される。周辺情報管理部２０９は、送信先または送信元の基地局装置２（または制御局装置、ゲートウェイ装置、リレー局装置）を特定するためのネットワーク情報を管理する。ネットワーク情報は、例えばトラッキングエリア識別子（ＴＡＩ）、セルグローバル識別子（ＣＧＩ）、セル識別子（ＰＣＩ）、ネットワークカラーコード、インターネットプロトコルアドレス（ＩＰアドレス）などの各装置のネットワーク上でのアドレスを特定可能な情報から構成される。また、制御メッセージは、Ｘ２インターフェースと呼ばれる論理インターフェース上でやり取りされる。ネットワーク回線は、典型的には有線回線であるが、例えばリレー局装置と通信する場合は無線回線であっても良い。
【００６８】
周辺情報管理部２０９は、必要に応じてネットワーク信号処理部２０８にネットワーク情報を提供する。ネットワーク信号処理部２０８と周辺情報管理部２０９は上位レイヤが管理する。基地局装置２のＲＲＣは、上位レイヤ２１０の一部として存在する。また、キャリア・アグリゲーション情報管理部２１１は、基地局装置２制御下のセル（あるいは他の基地局装置２制御下のセルも含めて）キャリア・アグリゲーション可能な組み合わせの情報を保持する。図２において、その他の基地局装置２の構成要素は本実施形態に関係ないため省略してある。
【００６９】
続いて、測定とハンドオーバについて説明を行う。本実施形態では、前述の図７を用いた説明と同様に、移動局装置１は基地局装置２ＡのセルＡ（周波数Ｆ１）およびセルＢ（周波数Ｆ２）において無線接続が確立された状態（ＲＲＣ＿Ｃｏｎｎｅｃｔｅｄ状態）にあり、セルＡをＰＣｅｌｌとし、セルＢをＳＣｅｌｌとする。また、基地局装置２ＢのセルＥ（周波数Ｆ２）およびセルＦ（周波数Ｆ３）は省電力化のために無線送信を停止しているものとする。
【００７０】
まず、従来の技術を利用した場合の説明を行う。前記状況において移動局装置１が周辺セルの測定を行う場合、セルＥおよびセルＦの無線品質を測定することができず、キャリア・アグリゲーションを維持したままハンドオーバを行うことが出来なくなってしまう。そのため、従来であれば、基地局装置２Ａが、Ｄｅａｃｔｉｖａｔｉｏｎ状態にある周辺セル（セルＥおよびセルＦを含む他のＤｅａｃｔｉｖａｔｉｏｎ状態のセル）を制御する単数あるいは複数の基地局装置２に対して、Ｗａｋｅｕｐ信号を送信してＡｃｔｉｖａｔｉｏｎ状態として測定を行うことになる。しかしながら、前記方法では、基地局装置２Ａが基地局装置２Ｂにおけるキャリア・アグリゲーション可能なセルの組み合わせ情報を保持していない場合には、不必要なセルをＡｃｔｉｖａｔｉｏｎ状態にして不必要な無線送信を発生させる可能性がある。
次に、本実施形態における測定とハンドオーバの手順を図３のシーケンスチャート図に示す。
【００７１】
まず、基地局装置２Ａと移動局装置１との間で図７の説明と同様の測定設定を行う（ステップＳ３０１〜Ｓ３０３）。
【００７２】
次に、移動局装置１において、設定された測定イベントのいずれかがパラメータに従い条件を満たした場合、当該測定イベントがトリガ（ｔｒｉｇｇｅｒ）されたとして、測定報告メッセージを基地局装置２Ａに対して送信する（ステップＳ３０４）。この段階ではＤｅａｃｔｉｖａｔｉｏｎ状態であるセルＥとセルＦの測定はできていない。
【００７３】
基地局装置２は、移動局装置１からの測定報告メッセージやシステム負荷や干渉の状態などを考慮し、必要に応じて移動局装置１に対して最適なセルへのハンドオーバやＳＣｅｌｌの追加や削除などの判断などを行う（ステップＳ３０５）。ここではセルＤの受信品質が高くなった場合について説明を続ける。
【００７４】
基地局装置２Ａは、移動局装置１をセルＡからセルＤへハンドオーバさせるために、まずセルＤを制御する基地局装置２Ｂに対してセルＤとともにキャリア・アグリゲーションが可能なセルをＡｃｔｉｖａｔｉｏｎ状態とするように要求するメッセージを、セルＤを制御する基地局装置２Ｂに対して送信する（ステップＳ３０６）。このメッセージには従来のようなＡｃｔｉｖａｔｉｏｎ状態とする対象の個々のセル識別子（ＣＧＩやＰＣＩ）を含む必要はないが、セルＤの情報（ＣＧＩやＰＣＩなど）は含まれる。
【００７５】
Ｗａｋｅｕｐ要求メッセージを受け取った基地局装置２Ｂは、セルＤを含めてキャリア・アグリゲーションが可能なセルの情報をキャリア・アグリゲーション情報管理部２１１から取得し、前記キャリア・アグリゲーション情報管理部２１１から取得したセルのなかにＤｅａｃｔｉｖａｔｉｏｎ状態のセルがある場合、当該セルのすべてあるいは一部をＡｃｔｉｖａｔｉｏｎ状態とし、Ｗａｋｅｕｐ要求応答を基地局装置２Ａに通知する（ステップＳ３０７）。Ｗａｋｅｕｐ要求応答にはＡｃｔｉｖａｔｉｏｎ状態としたセルに関する情報（ＰＣＩやＣＧＩや周波数情報など）を含めてもよい。
【００７６】
Ｗａｋｅｕｐ要求応答を受け取った基地局装置２Ａは、必要であれば再度移動局装置１との間で測定設定を行い（ステップＳ３０９〜Ｓ３１１）、移動局装置１から報告される測定報告に基づき（ステップＳ３１２）、接続先なるセル（ここではセルＤ）を選択し（ステップＳ３１３）、セルＤを制御する基地局装置２Ｂに対してハンドオーバ要求メッセージを送信する（ステップＳ３１４）。ハンドオーバ要求メッセージで送られるハンドオーバ要求情報には、周辺セル（セルＥやセルＦ）の測定結果に関する情報が含まれる。
【００７７】
ハンドオーバ要求メッセージを受け取った基地局装置２Ｂは、セルＤにおいて移動局装置１との通信に必要となるリソースが準備できる場合、ハンドオーバ要求応答として、セルＤとの接続に必要となるセキュリティ情報やランダムアクセスに用いる情報などを含めて、基地局装置２Ａに通知する（ステップＳ３１５）。また、ハンドオーバ要求応答には、特定のセル（セルＥやセルＦ）をＳＣｅｌｌと指定する内容を含めてもよい。
【００７８】
ハンドオーバ要求応答を受け取った基地局装置２Ａは、ハンドオーバ可能である場合には、移動局装置１に対してセルＤへのハンドオーバ指示を行う（ステップＳ３１６）。ハンドオーバ指示のメッセージには、セルＤとの接続に必要なシステム情報や、セキュリティに関する情報や、ランダムアクセスに用いる情報などが含まれる。また、ハンドオーバ要求応答にＳＣｅｌｌの情報が含まれる場合には、その情報をハンドオーバ指示のメッセージに含めてもよい。
【００７９】
ハンドオーバ指示を受け取った移動局装置１は、セルＤに対して接続を試み、接続が成功すると、基地局装置２Ｂに対してハンドオーバ完了メッセージを通知する（ステップＳ３１７）。
【００８０】
ハンドオーバ完了メッセージを受け取った基地局装置２Ｂは、基地局装置２Ａに対して、移動局装置１に関する無線リソースや制御情報の解放許可を基地局装置２Ａに通知してハンドオーバを完了する（ステップＳ３１８）。
【００８１】
本実施形態により、従来のように、Ｄｅａｃｔｉｖａｔｉｏｎ状態にある周辺セルすべてに対してＷａｋｅｕｐ信号を送信することなく、移動局装置１のハンドオーバ先のセルのキャリア・アグリゲーションに関連するセルのみを効率的にＡｃｔｉｖａｔｉｏｎ状態にすることが可能となる。さらに、移動局装置１のハンドオーバ候補として最適なセルとキャリア・アグリゲーションが可能なセルのみを活性化させることにより、キャリア・アグリゲーションが不可能なセルの不必要な無線送信（活性化）を防止することが可能となる。また、本実施形態により、キャリア・アグリゲーション可能なセルの組み合わせ情報を複数の基地局装置２間でやり取りすることなく、キャリア・アグリゲーション可能なセルのみを活性化することが可能となる。
【００８２】
［第２の実施形態］
以下、本発明の第２の実施形態について説明する。本実施形態は、移動局装置１に適用するキャリア・アグリゲーション設定状況に基づいた活性化要求信号の制御方法に関する。本実施形態の説明で用いる通信システム（移動局装置および基地局装置）は第１の実施形態と同じであるため説明を省略する。また、本実施形態でも、第１の実施形態と同様に、移動局装置１は基地局装置２ＡのセルＡ（周波数Ｆ１）およびセルＢ（周波数Ｆ２）において無線接続が確立された状態（ＲＲＣ＿Ｃｏｎｎｅｃｔｅｄ状態）にあり、セルＡをＰＣｅｌｌとし、セルＢをＳＣｅｌｌとする。また、基地局装置２ＢのセルＥ（周波数Ｆ２）およびセルＦ（周波数Ｆ３）は省電力化のために無線送信を停止しているものとする。
【００８３】
本実施形態における測定とハンドオーバの手順を図４のシーケンスチャート図に示す。
【００８４】
まず、基地局装置２Ａは、移動局装置１との間でキャリア・アグリゲーションの設定として、ＰＣｅｌｌの割り当て（ここでは周波数Ｆ１のセルＡ）とＳＣｅｌｌの割り当て（ここでは周波数Ｆ３のセルＣ）を行う（ステップＳ４０１）。
【００８５】
次に、基地局装置２Ａは隣接するセルを制御する基地局装置２Ｂに対して、基地局装置２Ａにおいてキャリア・アグリゲーションで利用中の周波数情報（ここでは周波数Ｆ１とＦ３）を含むＷａｋｅｕｐ要求メッセージを、基地局装置２Ｂに対して送信する（ステップＳ４０２）。ここではＷａｋｅｕｐ要求メッセージを用いているが、単に前記周波数情報を通知するメッセージでもよい。その場合は要求ではないため後述する応答（Ｓ４０４）の必要はない。
【００８６】
Ｗａｋｅｕｐ要求メッセージを受け取った基地局装置２Ｂは、前記メッセージに含まれる周波数情報をもとに、キャリア・アグリゲーションを行える組み合わせのセルを選択して、自基地局装置が制御する前記選択されたセルのすべてあるいは一部をＡｃｔｉｖａｔｉｏｎ状態とし（ステップＳ４０３）、Ｗａｋｅｕｐ要求応答を基地局装置２Ａに通知する（ステップＳ４０４）。Ｗａｋｅｕｐ要求応答にはＡｃｔｉｖａｔｉｏｎ状態としたセルに関する情報（ＰＣＩやＣＧＩや周波数情報など）を含めてもよい。
【００８７】
Ｗａｋｅｕｐ要求応答を受け取った基地局装置２Ａは、移動局装置１との間で測定設定を行い（ステップＳ４０５〜Ｓ４０７）、移動局装置１から報告される測定報告に基づき（ステップＳ４０８）、接続先なるセル（ここでは周波数Ｆ１のセルＤ）を選択し（ステップＳ４０９）、セルＤを制御する基地局装置２Ｂに対してハンドオーバ要求メッセージを送信する（ステップＳ４１０）。前記のステップＳ４０３でセルＦが活性化していた場合、ハンドオーバ要求メッセージで送られるハンドオーバ要求情報には、周辺セル（周波数Ｆ３のセルＦ）の測定結果に関する情報が含まれる可能性がある。
【００８８】
ハンドオーバ要求メッセージを受け取った基地局装置２Ｂは、セルＤにおいて移動局装置１との通信に必要となるリソースが準備できる場合、ハンドオーバ要求応答として、セルＤとの接続に必要となるセキュリティ情報やランダムアクセスに用いる情報などを含めて、基地局装置２Ａに通知する（ステップＳ４１１）。また、ハンドオーバ要求応答には、特定のセル（ここではセルＦ）をＳＣｅｌｌと指定する内容を含めてもよい。
【００８９】
ハンドオーバ要求応答を受け取った基地局装置２Ａは、ハンドオーバ可能である場合には、移動局装置１に対してセルＤへのハンドオーバ指示を行う（ステップＳ４１２）。ハンドオーバ指示のメッセージには、セルＤとの接続に必要なシステム情報や、セキュリティに関する情報や、ランダムアクセスに用いる情報などが含まれる。また、ハンドオーバ要求応答にＳＣｅｌｌの情報が含まれる場合には、その情報をハンドオーバ指示のメッセージに含めてもよい。
【００９０】
ハンドオーバ指示を受け取った移動局装置１は、セルＤに対して接続を試み、接続が成功すると、基地局装置２Ｂに対してハンドオーバ完了メッセージを通知する（ステップＳ４１３）。
【００９１】
ハンドオーバ完了メッセージを受け取った基地局装置２Ｂは、基地局装置２Ａに対して、移動局装置１に関する無線リソースや制御情報の解放許可を基地局装置２Ａに通知してハンドオーバを完了する（ステップＳ４１４）。
【００９２】
本実施形態により、従来のように、Ｄｅａｃｔｉｖａｔｉｏｎ状態にある周辺セルすべてに対してＷａｋｅｕｐ信号を送信することなく、移動局装置１のハンドオーバ先となる可能性のあるキャリア・アグリゲーション可能なセルのみを効率的にＡｃｔｉｖａｔｉｏｎ状態にすることが可能となる。さらに、移動局装置１のハンドオーバ候補として最適なセルとキャリア・アグリゲーションが可能なセルのみを活性化させることにより、キャリア・アグリゲーションが不可能なセルの不必要な無線送信（活性化）を防止することが可能となる。また、本実施形態により、キャリア・アグリゲーション可能なセルの組み合わせ情報を複数の基地局装置２間でやり取りすることなく、キャリア・アグリゲーション可能なセルのみを活性化することが可能となる。
【００９３】
また、本実施形態では基地局装置２Ａが周波数を指定してＷａｋｅｕｐ要求を行っているが、基地局装置２Ａで設定され、かつ通信が継続しているキャリア・アグリゲーションの周波数情報を、周辺セルを制御する基地局装置２（ここでは基地局装置２Ｂ）へ通知するようにしてもよい。前記情報を通知された基地局装置２は周辺セルの周波数利用状況に基づいて、自律的に制御下のセルのＡｃｔｉｖａｔｉｏｎ／Ｄｅａｃｔｉｖａｔｉｏｎ状態を制御することが可能となる。
【００９４】
［第３の実施形態］
以下、本発明の第３の実施形態について説明する。本実施形態は、ハンドオーバ要求メッセージを利用した活性化要求の方法に関する。本実施形態の説明で用いる通信システム（移動局装置および基地局装置）は第１の実施形態と同じであるため説明を省略する。また、本実施形態でも、第１の実施形態と同様に、移動局装置１は基地局装置２ＡのセルＡ（周波数Ｆ１）およびセルＢ（周波数Ｆ２）において無線接続が確立された状態（ＲＲＣ＿Ｃｏｎｎｅｃｔｅｄ状態）にあり、セルＡをＰＣｅｌｌとし、セルＢをＳＣｅｌｌとする。また、基地局装置２ＢのセルＥ（周波数Ｆ２）およびセルＦ（周波数Ｆ３）は省電力化のために無線送信を停止しているものとする。
【００９５】
本実施形態における測定とハンドオーバの手順を図５のシーケンスチャート図に示す。
【００９６】
まず、基地局装置２Ａと移動局装置１との間で図７の説明と同様の測定設定を行う（ステップＳ５０１〜Ｓ５０３）。
【００９７】
次に、移動局装置１において、設定された測定イベントのいずれかがパラメータに従い条件を満たした場合、当該測定イベントがトリガ（ｔｒｉｇｇｅｒ）されたとして、測定報告メッセージを基地局装置２Ａに対して送信する（ステップＳ５０４）。この段階ではＤｅａｃｔｉｖａｔｉｏｎ状態であるセルＥとセルＦの測定はできていない。
【００９８】
基地局装置２は、移動局装置１からの測定報告メッセージやシステム負荷や干渉の状態などを考慮し、必要に応じて移動局装置１に対して最適なセルへのハンドオーバやＳＣｅｌｌの追加や削除などの判断などを行う（ステップＳ５０５）。ここではセルＤの受信品質が高くなった場合について説明を続ける。
【００９９】
基地局装置２Ａは、移動局装置１をセルＡからセルＤへハンドオーバさせるために、セルＤを制御する基地局装置２Ｂに対してハンドオーバ要求メッセージを送信する（ステップＳ５０６）。ハンドオーバ要求メッセージで送られるハンドオーバ要求情報には、ハンドオーバ希望先のセルの識別子（ここではセルＤのＣＧＩやＰＣＩ）の情報や現状のビットレート情報などが含まれる。また、前記ハンドオーバ要求情報には基地局装置２ＡのＰＣｅｌｌやＳＣｅｌｌの受信品質情報あるいは周波数情報が含まれる。またはＰＣｅｌｌやＳＣｅｌｌに限らず、移動局装置１が通信可能な周波数の情報を含んでいてもよい。
【０１００】
ハンドオーバ要求メッセージを受け取った基地局装置２Ｂは、セルＤにおいて移動局装置１との通信に必要となるリソースが準備できるか否かを判断し、準備できる場合には従来と同様に、ハンドオーバ要求応答として、セルＤとの接続に必要となるセキュリティ情報やランダムアクセスに用いる情報などを含めて、基地局装置２Ａに通知する。リソースが準備できない場合、基地局装置２Ｂはハンドオーバ要求情報に含まれる情報からキャリア・アグリゲーション可能なセルを活性状態として（ステップＳ５０７）、ハンドオーバ要求応答として再測定を要求するメッセージを通知する（ステップＳ５０８）。また、ハンドオーバ要求応答には、再測定するセルの情報を含めてもよい。また、ここでは再測定要求を通知しているが、不活性状態のセルを活性状態にした旨を通知するだけでもよい。
【０１０１】
ハンドオーバ要求応答を受け取った基地局装置２Ａは、ハンドオーバ可能である場合には、従来と同様に移動局装置１に対してセルＤへのハンドオーバ指示を行う（ステップＳ５１４）。しかしながら、ハンドオーバ不可の場合で、再測定要求を受け取った場合には、必要であれば再測定を行なうセルを測定対象に追加するために再度移動局装置１との間で測定設定を行い（ステップＳ５０９〜Ｓ５１１）、移動局装置１から測定報告を受け取る（ステップＳ５１２）。そして、報告される測定報告に基づき、接続先なるセル（ここではセルＤ）を選択し（ステップＳ５１３）、セルＤを制御する基地局装置２Ｂに対してハンドオーバ要求メッセージを送信する（ステップＳ５１４）。ハンドオーバ要求メッセージで送られるハンドオーバ要求情報には、周辺セル（セルＥやセルＦ）の測定結果に関する情報が含まれる。
【０１０２】
ハンドオーバ要求メッセージを受け取った基地局装置２Ｂは、セルＤおよびキャリア・アグリゲーションを行うセルにおいて移動局装置１との通信に必要となるリソースが準備できる場合、ハンドオーバ要求応答として、セルＤとの接続に必要となるセキュリティ情報やランダムアクセスに用いる情報などを含めて、基地局装置２Ａに通知する（ステップＳ５１５）。また、ハンドオーバ要求応答には、特定のセル（セルＥやセルＦ）をＳＣｅｌｌと指定する内容を含めてもよい。
【０１０３】
ハンドオーバ要求応答を受け取った基地局装置２Ａは、ハンドオーバ可能である場合には、移動局装置１に対してセルＤへのハンドオーバ指示を行う（ステップＳ５１６）。ハンドオーバ指示のメッセージには、セルＤとの接続に必要なシステム情報や、セキュリティに関する情報や、ランダムアクセスに用いる情報などが含まれる。また、ハンドオーバ要求応答にＳＣｅｌｌの情報が含まれる場合には、その情報をハンドオーバ指示のメッセージに含めてもよい。
【０１０４】
ハンドオーバ指示を受け取った移動局装置１は、セルＤに対して接続を試み、接続が成功すると、基地局装置２Ｂに対してハンドオーバ完了メッセージを通知する（ステップＳ５１７）。
【０１０５】
ハンドオーバ完了メッセージを受け取った基地局装置２Ｂは、基地局装置２Ａに対して、移動局装置１に関する無線リソースや制御情報の解放許可を基地局装置２Ａに通知してハンドオーバを完了する（ステップＳ５１８）。
【０１０６】
本実施形態により、従来のような、Ｗａｋｅｕｐ信号を送信することなく、ハンドオーバ要求を利用することにより、Ｗａｋｅｕｐ信号と同様に移動局装置１のハンドオーバ先のセルのキャリア・アグリゲーションに関連するセルのみを効率的にＡｃｔｉｖａｔｉｏｎ状態にすることが可能となる。さらに、移動局装置１のハンドオーバ候補として最適なセルとキャリア・アグリゲーションが可能なセルのみを活性化させることにより、キャリア・アグリゲーションが不可能なセルの不必要な無線送信（活性化）を防止することが可能となる。また、本実施形態により、キャリア・アグリゲーション可能なセルの組み合わせ情報を複数の基地局装置２間でやり取りすることなく、キャリア・アグリゲーション可能なセルのみを活性化することが可能となる。
【０１０７】
なお、前記各実施形態において活性化されたセルは、既定の条件に基づいて不活性状態に戻ってもよい。例えば、Ｗａｋｅｕｐ要求から一定時間内にハンドオーバが実行されなかった場合や、セルにおける通信が一定時間観測されなかった場合や、Ｗａｋｅｕｐ要求を行ったセルから要求の中止や終了が通知された場合や、前記各条件の組み合わせなどが挙げられる。
【０１０８】
また、前記各実施形態では、基地局装置２間でＷａｋｅｕｐ要求やハンドオーバ要求をやり取りしているが、基地局装置２間で直接メッセージのやり取りをしてもよいし、上位の制御装置を介してやり取りを行ってもよい。
【０１０９】
以上、本発明に係る実施形態の説明を行ってきたが、本発明における基地局装置に関しては、基地局装置の各部の機能またはこれらの機能の一部を実現するためのプログラムをコンピュータ読み取り可能な記録媒体に記録して、この記録媒体に記録されたプログラムをコンピュータシステムに読み込ませ、実行することにより各実施形態で示した制御を行なってもよい。なお、ここでいう「コンピュータシステム」とは、ＯＳや周辺機器等のハードウェアを含むものとする。
【０１１０】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであってもよい。
【０１１１】
また、上記各実施形態に用いた各機能ブロックは、典型的には集積回路であるＬＳＩとして実現してもよい。各機能ブロックは個別にチップ化してもよいし、一部または全部を集積してチップ化してもよい。また、集積回路化の手法はＬＳＩに限らず専用回路または汎用プロセッサで実現してもよい。また、半導体技術の進歩によりＬＳＩに代替する集積回路化の技術が出現した場合、当該技術による集積回路を用いることも可能である。
【０１１２】
以上、本発明の実施形態について特定の具体例に基づいて詳述してきたが、本発明の趣旨ならびに特許請求の範囲は、これら特定の具体例に限定されないことは明らかである。すなわち、本明細書の記載は例示説明を目的としたものであり、本発明に対して何ら制限を加えるものではない。
【符号の説明】
【０１１３】
１…移動局装置
２…基地局装置
１１，１２，１３…送信装置
１０１、２０１…受信部
１０２、２０２…復調部
１０３、２０３…復号部
１０４…測定処理部
１０５、２０４…制御部
１０６…ランダムアクセス処理部
１０７、２０５…符号部
１０８、２０６…変調部
１０９、２０７…送信部
１１０、２１０…上位レイヤ
２０８…ネットワーク信号送受信部
２０９…周辺情報管理部
２１１…キャリア・アグリゲーション情報管理部
【図１】
2012009945.tif 000003
【図２】
2012009945.tif 000004
【図３】
2012009945.tif 000005
【図４】
2012009945.tif 000006
【図５】
2012009945.tif 000007
【図６】
2012009945.tif 000008
【図７】
2012009945.tif 000009